(57)【特許請求の範囲】
【請求項１】
表裏両面を使用できるリバーシブル衣服であって、該衣服の身頃が一重の布からなる衣服において、該衣服におけるポケットは、衣服の表面側のポケットと、それと対応する位置の裏面側のポケットとが異った構造のポケットであり、一方の側のポケットがパッチポケットであり、他方の側のポケットがパッチポケットではない他の構造のポケットであり、表面側のポケットの収納部と裏面側のポケットの収納部が前記身頃の布とパッチポケットのポケット布との間に配置された向う布により完全に仕切られおり、前記ポケット布と前記向う布によりパッチポケットの収納部が形成され、前記身頃の布と前記向う布により前記他の構造のポケットの収納部が形成されていることを特徴とするリバーシブル衣服。
【請求項２】
前記他方の側のポケットが前記身頃の布に切れ目を入れて作った切りポケットであることを特徴とする請求項１記載のリバーシブル衣服。
【請求項３】
前記他方の側のポケットが前記身頃の布の一部を切取って、そこをポケット口とし、切取った箇所に前記向う布を配置した切替えポケットであることを特徴とする請求項１記載のリバーシブル衣服。
【発明の詳細な説明】
【技術分野】
【０００１】
本発明はリバーシブル衣服に関し、特に、衣服の身頃が一重（ひとえ）の布からなるリバーシブル衣服におけるポケットに関するものである。
【背景技術】
【０００２】
従来、表と裏の両方が着用可能なリバーシブルの衣服がある。このような衣服は、表生地と裏生地とが重ねられて、縫い合わされたものが多い。また、表と裏の両面が外面として着用可能な一枚の生地で作られているものがある。
【０００３】
実開昭６０−５６７０９号公報（特許文献１）には、表布と裏布とを２枚重ねて縫い合せたリバーシブル仕立ての上着で、表をブレザーに仕立て、裏をジャケットに仕立てて、表と裏で外観が異なる衣服が提案されている。
【０００４】
特開２０００−３４５４０８号公報（特許文献２）には、丈夫な綾織のデニム生地を使用して一枚で両面使用可能な一重仕立てのジーンパンツが提案されている。
【先行技術文献】
【特許文献】
【０００５】
【特許文献１】実開昭６０−５６７０９号公報
【特許文献２】特開２０００−３４５４０８号公報
【発明の概要】
【発明が解決しようとする課題】
【０００６】
特許文献１に開示されているような２枚重ねのリバーシブル衣服は一重の布からなるリバーシブル衣服に比較してデザイン的に自由度が大きい。例えば、ポケットについては、第１図のブレザー仕立てではパッチポケットであり、第２図のジャケット仕立てでは切りポケットである。２枚重ねのリバーシブル衣服では表布と裏布との間に空間があるので、切りポケットの袋布は表布と裏布との間に位置し、外側からは見えない。
【０００７】
しかし、２枚重ねのリバーシブル衣服は表布も裏布も通常使用される表生地を使用するので、分厚くなり、重く、着用感が悪いという問題がある。また、２枚の表生地を縫い合わせるため、通常の裏地付き衣服を製作するのとは作業手順が異なり、製作に手間がかかり、縫製技術的に難しい点や、熟練を要するという問題がある。
【０００８】
特許文献２に開示されているジーンパンツは丈夫な綾織の綿布を使用した一重仕立てのものであり、分厚くなるという問題は解決している。
【０００９】
しかし、従来は、一重仕立てのリバーシブル衣服では袋布を用いるポケット（例えば、身頃に切れ目を入れてポケット口とし、その裏側に袋布を付ける切りポケットや、ズボンの脇ポケットのように、身頃の一部を切取って、そこをポケット口とし、切取った箇所に表地で向う布を設けて、身頃の裏側と向う布とに袋布を取付けるタイプの切替えポケットなど）を付けることができない。すなわち、袋布は衣服の裏側に設けられるが、一重仕立てのリバーシブル衣服の場合は、片面側では袋布は見えなくとも、裏返した状態では袋布が外に現れてしまうからである。
【００１０】
従って、特許文献２においても、ポケットについては表面（おもてめん）も裏面（うらめん）もパッチポケット（すなわち、ポケット布を身頃の布の表面（ひょうめん）に貼り付けたポケット）であり、リバーシブルであるにも拘らず、デザイン的変化が乏しく、面白みが欠けるという問題がある。
【００１１】
本発明は、このような従来の問題を解決して、一重仕立ての衣服であって、表面と裏面のポケットのデザイン（構造）を異ならせたリバーシブル衣服を提供することを目的とする。
【課題を解決するための手段】
【００１２】
本発明においては、表裏両面を使用できるリバーシブル衣服であって、該衣服の身頃が一重の布からなる衣服において、該衣服におけるポケットは、衣服の表面側のポケットと、それと対応する位置の裏面側のポケットとが異った構造のポケットであり、一方の側のポケットがパッチポケットであり、他方の側のポケットがパッチポケットではない他の構造のポケットであり、表面側のポケットの収納部と裏面側のポケットの収納部が前記身頃の布とパッチポケットのポケット布との間に配置された向う布により完全に仕切られおり、前記ポケット布と前記向う布によりパッチポケットの収納部が形成され、前記身頃の布と前記向う布により前記他の構造のポケットの収納部が形成されていることを特徴とするリバーシブル衣服により前記目的を達成する。
【００１３】
他方の側のポケットは、身頃の布に切れ目を入れて作った切りポケットであってもよいし、または、身頃の布の一部を切取って、そこをポケット口とし、切取った箇所に向う布を配置した切替えポケットであってもよい。
【発明の効果】
【００１４】
本発明によれば、身頃が一重の布からなる衣服であるので、分厚くならず、着用感が良い。しかも、リバーシブル衣服の表面側と裏面側ではポケットの構造が異なっており（従って、デザインが異なっており）、一方の側のポケットがパッチポケットであり、他方の側のポケットがパッチポケットではない他の構造のポケットであり、リバーシブル衣服として変化があって、面白みがある。
【００１５】
また、本発明によれば、他方の側のポケットが切りポケットまたは切替えポケットであり、衣服全体のデザインを考慮して、ポケットの構造を選択できる。
【００１６】
本発明によれば、パッチポケットのポケット布、向う布および身頃の布を利用して、表面側のポケットの収納部と裏面側のポケットの収納部を形成しているので、ポケットの構造が簡単であり、２つのポケットが重なった位置に存在するにも拘らず、ポケットの箇所があまり分厚くならない。
【００１７】
本発明においては、表面側のポケットの収納部と裏面側のポケットの収納部が向う布により完全に隔てられているので、一方の側のポケットに収納した品物が反対側のポケット口から飛び出してしまうという虞がない。
【００１８】
また、本発明のリバーシブル衣服は、着用時に外側となっている面に設けられたポケットを普通に利用できるとともに、内側となっているポケットを隠しポケットとして利用することもできる。
【図面の簡単な説明】
【００１９】
【図１】図１（ａ）は本発明のリバーシブル衣服の一実施例の表面側の正面図であり、図１（ｂ）はその背面図である。
【図２】図２（ａ）は図１に示したリバーシブル衣服を裏返して裏面側を外側とした状態の正面図であり、図２（ｂ）はその背面図である。
【図３】図３（ａ）は図１（ａ）に示した左前身頃側のパッチポケットの拡大図であり、図３（ｂ）は図３（ａ）に示したポケットの内部構造を示すために一部を破断して布の重なり状態を示した説明図である。
【図４】図４（ａ）は図２（ａ）に示した脇ポケットの拡大図であり、図３（ａ）のパッチポケットの裏側に位置する脇ポケット（切替えポケット）である。図４（ｂ）は図４（ａ）に示したポケットの内部構造を示すために一部を破断して布の重なり状態を示した説明図である。
【図５】図３のＡ−Ａ線に沿った断面図であり、説明のために模式的に描いている。
【図６】図６（ａ）は図１（ｂ）に示した後身頃側の切りポケットの拡大図であり、図６（ｂ）は図６（ａ）に示したポケットの内部構造を示すために一部を破断して布の重なり状態を示した説明図である。
【図７】図７（ａ）は図２（ｂ）に示したパッチポケットの拡大図であり、図６（ａ）の切りポケットの裏側に位置するパッチポケットである。図７（ｂ）は図７（ａ）に示したパッチポケットの内部構造を示すために一部を破断して布の重なり状態を示した説明図である。
【図８】図６のＢ−Ｂ線に沿った断面図であり、説明のために模式的に描いている。
【発明を実施するための形態】
【００２０】
以下、図面に示した実施例に基いて本発明を詳細に説明する。本発明の衣服は、１枚の生地が表と裏の両面が外面として着用可能である布を使用した一重仕立てのリバーシブル衣服１である。なお、実施例の説明においては、布の両面のうち、どちらか一方の面を表面（おもてめん）とし、反対側の面を裏面（うらめん）として説明するが、身頃となる布は両面が外面として使用できるものであるので、どちらの面を本発明における表面（おもてめん）として利用するかは任意である。
【００２１】
図１および図２に示した実施例のリバーシブル衣服１はズボンであり、図１（ａ）は表面側１ａの正面図であり、図１（ｂ）は表面側１ａの背面図であり、図２（ａ）は図１に示したズボン１を裏返して裏面側１ｂを外側とした状態の正面図であり、図２（ｂ）はその背面図である。
【００２２】
図示した実施例のリバーシブルズボン１においては、前身頃１１および後身頃１２の上端にウエストベルト１３があり、表面側１ａでは前身頃１１および後身頃１２にそれぞれポケット２、５が設けられ、裏面側１ｂでは前身頃１１および後身頃１２に表面側１ａのポケット２、５と対応する箇所にそれぞれポケット４、６が設けられている。実施例１として前身頃１１の表裏に設けられたポケット２、４を説明し、実施例２として後身頃１２の表裏に設けられたポケット５、６について説明する。
【実施例１】
【００２３】
図１（ａ）に示すように、ズボン１の表面側１ａの左右の前身頃１１にはパッチポケット２が設けられ、図２（ａ）に示すように、ズボン１の裏面側１ｂの左右の前身頃１１には脇ポケット（切替えポケット）４が設けられている。
【００２４】
図４（ａ）、（ｂ）および図５に示すように、ズボン１の裏面側１ｂに設けられた脇ポケット４は、前身頃１１の脇線（すなわち、前身頃１１と後身頃１２との縫合わせ目１４）側の上部を一部切取って、そこをポケット口４１とし、切取った箇所に表地で向う布３を設けた切替えポケットである。ポケット口４１には縫い代始末のためにテープ状の布４４を縫着している（縫目４５、４６）。
【００２５】
図３（ａ）、（ｂ）および図５に示すように、ズボン１の表面側１ａで脇ポケット４に対応する箇所にパッチポケット２が取付けられている。パッチポケット２となるポケット布２はその上端部の縫い代が折返されて縫製され（縫目２２）、ポケット口２１が形成されている。ポケット布２の周縁は向う布３と共に前身頃１１に縫着され（縫目４２、４３）、また、図３（ｂ）に示すように、ポケット布２の側縁は前身頃１１および向う布３と共に後身頃１２と縫合される（縫目１４、１５）。
【００２６】
この実施例における向う布３は、ポケット２の幅と略同じ幅を有し、ウエストベルト１３からパッチポケット２の底部までの高さを有するほぼ四角形状の布であり、図５に示すように、前身頃１１とパッチポケットのポケット布２との間に配置されており、その上縁がウエストベルト１３に縫着され（縫目１６）、一方の側縁と底縁がポケット布２と共に前身頃１１に縫着され（縫目４２）、他方の側縁が前身頃１１およびポケット布２と共に後身頃１２と縫合されている（縫目１４）。
【００２７】
このようなポケット構造であるので、ポケット布２と向う布３によりパッチポケット２の収納部７が形成され、前身頃１１と向う布３により脇ポケット４の収納部８が形成され、脇ポケット４はポケット布２を縫着した縫目４２、４３によりポケットとしての区画が規定される。
【００２８】
このように、パッチポケット２の収納部７と脇ポケット４の収納部８とは向う布３により完全に仕切られており、各ポケット２、４にはそれぞれのポケット口２１、４１から品物を出し入れすることができる。
【実施例２】
【００２９】
図１（ｂ）に示すように、ズボン１の表面側１ａの左右の後身頃１２には切りポケット５が設けられ、図２（ｂ）に示すように、ズボン１の裏面側１ｂの左右の後身頃１２にはパッチポケット６が設けられている。
【００３０】
切りポケット５は図６および図８に示すように、後身頃１２に切れ目を入れてポケット口５１としたものであり、図示した実施例ではポケット口５１に口布５２を設けて片玉縁に仕立てている。口布５２は切れ目の下側の身頃部に縫着されている（縫目５５）。切れ目の上側の身頃部は縫い代が折返されて向う布３０の上縁が縫着されている（縫目５６）。
【００３１】
この実施例では、向う布３０は図６および図７に示したポケット５、６の形状と同様に５角形状であり、図８に示すように、後身頃１２とパッチポケット６のポケット布６との間に配置されており、その上縁が切れ目の上側の身頃部１２に縫着され（縫目５６）、残りの周縁はポケット布６と共に後身頃１２に縫着されている（縫目５３）。すなわち、向う布３０はその全周が後身頃１２に縫着されている。
【００３２】
ズボンの裏面側１ｂには表面側１ａ切りポケット５に対応した位置に５角形状のパッチポケット６が設けられている。パッチポケット６を構成するポケット布６の上縁は縫い代が折返されて縫われ（縫目６２）、ポケット口６１となっている。ポケット布６の周縁は向う布３０と共に後身頃１２に縫着される（縫目５３、５４）。
【００３３】
図６および図８に示すように、切りポケット５は向う布３０を縫着した縫目５６およびポケット布６を縫着した縫目５３、５４によりポケットとしての区画が規定される。
【００３４】
このようなポケット構造であるので、後身頃１２と向う布３０により切りポケット５の収納部９が形成され、ポケット布６と向う布３０によりパッチポケット６の収納部１０が形成されており、切りポケット５の収納部９とパッチポケット６の収納部１０とは向う布３０により完全に仕切られている。
【００３５】
なお、切りポケット５の収納部９は向う布３０の全周が後身頃１２に縫着されているので、口布５２を設けたポケット口５１のみが外部に対して解放されており、そこから品物を出し入れすることができる。また、パッチポケット６の収納部１０は上方に開いたポケット口６１から品物を出し入れすることができる。
【００３６】
図示した実施例の衣服はズボンであるが、本発明は、ズボンに限らず上衣にも適用できる。例えば、実施例１に示した脇ポケット（切替えポケット）とパッチポケットの組合せは、サファリジャケットのようにウエスト部に切替えのある一重仕立てのリバーシブル衣服に適用できる。その場合は、図示したウエストベルトは切替え箇所となり、図示したズボンの前身頃および後身頃は切替え箇所より下方の前身頃および後身頃として、脇ポケットおよびパッチポケットを取付けることができる。
【００３７】
また、実施例２の切りポケットとパッチポケットの組合せは、切替えの有無に関係なく、任意の一重仕立てのリバーシブル衣服に適用できる。
【符号の説明】
【００３８】
１  リバーシブル衣服
１ａ  リバーシブル衣服の表面
１ｂ  リバーシブル衣服の裏面
２  パッチポケット（ポケット布）
３、３０  向う布
４  脇ポケット（切替えポケット）
５  切りポケット
６  パッチポケット
１１  前身頃
１２  後身頃
１３  ウエストベルト
２１  パッチポケットのポケット口
４１  脇ポケットのポケット口
５１  切りポケットのポケット口
５２  口布
６１  パッチポケットのポケット口
【要約】
【課題】  表面と裏面のポケットのデザインを異ならせた一重仕立てのリバーシブル衣服を提供する。
【解決手段】  表裏両面を使用できる一重仕立てのリバーシブル衣服において、衣服１におけるポケット５、６は、衣服の表面側１ａのポケット５と、それと対応する位置の裏面側１ｂのポケット６とが異った構造のポケットであり、一方の側のポケットがパッチポケット６であり、他方の側のポケットがパッチポケットではない他の構造のポケット５であり、表面側のポケットの収納部９と裏面側のポケットの収納部１０が身頃の布１２とパッチポケットのポケット布６との間に配置された向う布３０により完全に仕切られおり、ポケット布６と向う布３０によりパッチポケットの収納部１０が形成され、身頃の布１２と向う布３０により他の構造のポケット５の収納部９が形成されている。
【選択図】  図８【図１】
0005493033.tif 000002
【図２】
0005493033.tif 000003
【図３】
0005493033.tif 000004
【図４】
0005493033.tif 000005
【図５】
0005493033.tif 000006
【図６】
0005493033.tif 000007
【図７】
0005493033.tif 000008
【図８】
0005493033.tif 000009